(57)【要約】【課題】  インクジェット記録ヘッドのノズル面のインクの拭き取りを行うワイパブレードの両面に付着したインクを１つのインク吸収体で除去可能なインクジェット記録装置を実現すること。【解決手段】  ワイパブレード２０７の裏面に付着した廃インクは、重力に従って下方に移動するが、ワイパブレード保持板２０７Ｃの凹部に受け止められる。そして、各凹部の傾斜に沿って、各凹部の最下部に移動し、当該最下部に対向した貫通孔２１１内に貯まる。そして、ワイパブレード２０７の前面が第１の吸収部材２３１に当接したときに、当該第１の吸収部材２３１が押圧されるが、各貫通孔２１１に対向した位置の第１の吸収部材２３１の部分が貫通孔２１１に入り込んで、廃インクを吸収することができる。【選択図】  図１２
2005288827.tif 000002
【特許請求の範囲】
【請求項１】
被記録媒体にインクを噴射して記録を行うインクジェット記録ヘッドと、前記インクジェット記録ヘッドの噴射の回復を行う噴射回復機構とを備えたインクジェット記録装置であって、
前記噴射回復機構は、
前記インクジェット記録ヘッドからインクを吸引又は吐出させるパージ手段と、
前記インクジェット記録ヘッドのノズル面に付着したインクを拭き取るワイパブレードと、
当該ワイパブレードを前記インクジェット記録ヘッドのノズル面に対して相対移動させるワイパ駆動手段と、
前記ワイパブレードへ付着したインクを除去するワイパ保守手段とを備え、
前記ワイパ保守手段は、前記ワイパブレードの側面の少なくとも一部が面接触し、且つ、インクを吸収する吸収部材を前記ワイパブレードの移動経路の下流側の終端部に備え、
前記吸収部材に当接する前記ワイパブレードの当接面には、当該当接面と反対側の面である裏面側から当該当接面側にインクを通過するインク通過部が形成されていることを特徴とするインクジェット記録装置。
【請求項２】
前記ワイパブレードの当接面と反対側の面の前記ワイパブレードの基部には、当該ワイパブレードを支持するブレード支持板が設けられ、
当該ブレード支持板の上端部には、少なくとも１つ以上の凹部が設けられ、
前記ワイパブレードには、前記凹部の最下部に対向する位置に、前記インク通過部が設けられていることを特徴とする請求項１に記載のインクジェット記録装置。
【請求項３】
インクジェット記録ヘッドは複数列設され、
前記インク通過部は、前記各インクジェット記録ヘッドに対応して、前記ワイパブレードに各々形成されていることを特徴とする請求項１又は２に記載のインクジェット記録装置。
【請求項４】
前記インク通過部は開口部であり、
前記ワイパブレードが前記吸収部材に当接した場合に、当該吸収部材の一部が前記開口部内に入り込んで、インクを吸収することを特徴とする請求項１乃至３の何れかに記載のインクジェット記録装置。
【請求項５】
前記ブレード支持板の前記ワイパブレードに当接する面と反対側の面には、当該ブレード支持板より上下方向が長い板から成るインク受け板が当該ブレード支持板と平行に固定され、
当該インク受け板と前記ワイパブレードとの間にインクを受ける溝部が形成されていることを特徴とする請求項１乃至４の何れかに記載のインクジェット記録装置。
【発明の詳細な説明】
【技術分野】
【０００１】
本発明は、インクジェット記録装置に関し、詳細には、インクジェット記録ヘッドのノズル面に付着したインクを拭き取るワイパブレードの保守手段を備えたインクジェット記録装置に関する。
【背景技術】
【０００２】
従来、被記録媒体にインクジェット記録ヘッドのノズルからインクを噴射して記録を行うインクジェット記録装置では、インクジェット記録ヘッドのノズル面に不要なインクが付着すると、インクの噴射に悪影響を与えるため、ワイパブレードを用いてインクジェット記録ヘッドのノズル面に付着したインクを拭き取ることが行われている。
【０００３】
このワイパブレードに付着したインクを吸収するために、ワイパブレードの移動方向において、インクジェット記録ヘッドのノズル面の下流側に、インク吸収部材を設け、ワイパブレードに付着したインクを吸収させることが提案されている。（例えば、特許文献１参照）。この特許文献１に記載の発明では、インク吸収部材にワイパブレードに付着したインクが吸収される。
【特許文献１】特開平６−１４３５９７号公報
【発明の開示】
【発明が解決しようとする課題】
【０００４】
しかしながら、特許文献１に記載の発明では、ワイパブレードの先端部はインク吸収部材に当接してワイパブレードに付着したインクを吸収させることができるが、ワイパブレードのインク吸収部材に当接する面と反対側の面に付着するインクを吸収するために、第２のインク吸収体をワイパブレードの前記反対側の面に設ける必要があった。また、移動するワイパブレードにインクを吸収する第２のインク吸収体を設けると、インクを吸収した第２のインク吸収体が移動することになり、第２のインク吸収体からインクが飛散する虞があった。
【０００５】
本発明は上記課題を解決するためになされたものであり、インクジェット記録ヘッドのノズル面のインクの拭き取りを行うワイパブレードの両面に付着したインクを１つのインク吸収体で除去可能なインクジェット記録装置を実現することを目的とする。
【課題を解決するための手段】
【０００６】
上記目的を達成するために、請求項１に係る発明のインクジェット記録装置は、被記録媒体にインクを噴射して記録を行うインクジェット記録ヘッドと、前記インクジェット記録ヘッドの噴射の回復を行う噴射回復機構とを備えたインクジェット記録装置であって、前記噴射回復機構は、前記インクジェット記録ヘッドからインクを吸引又は吐出させるパージ手段と、前記インクジェット記録ヘッドのノズル面に付着したインクを拭き取るワイパブレードと、当該ワイパブレードを前記インクジェット記録ヘッドのノズル面に対して相対移動させるワイパ駆動手段と、前記ワイパブレードへ付着したインクを除去するワイパ保守手段とを備え、前記ワイパ保守手段は、前記ワイパブレードの側面の少なくとも一部が面接触し、且つ、インクを吸収する吸収部材を前記ワイパブレードの移動経路の下流側の終端部に備え、前記吸収部材に当接する前記ワイパブレードの当接面には、当該当接面と反対側の面である裏面側から当該当接面側にインクを通過するインク通過部が形成されていることを特徴とする。
【０００７】
また、請求項２に係る発明のインクジェット記録装置は、請求項１に記載の発明の構成に加え、前記ワイパブレードの当接面と反対側の面の前記ワイパブレードの基部には、当該ワイパブレードを支持するブレード支持板が設けられ、当該ブレード支持板の上端部には、少なくとも１つ以上の凹部が設けられ、前記ワイパブレードには、前記凹部の最下部に対向する位置に、前記インク通過部が設けられていることを特徴とする。
【０００８】
また、請求項３に係る発明のインクジェット記録装置は、請求項１又は２に記載の発明の構成に加え、インクジェット記録ヘッドは複数列設され、前記インク通過部は、前記各インクジェット記録ヘッドに対応して、前記ワイパブレードに各々形成されていることを特徴とする。
【０００９】
また、請求項４に係る発明のインクジェット記録装置は、請求項請求項１乃至３の何れかに記載の発明の構成に加え、前記インク通過部は開口部であり、前記ワイパブレードが前記吸収部材に当接した場合に、当該吸収部材の一部が前記開口部内に入り込んで、インクを吸収することを特徴とする。
【００１０】
また、請求項５に係る発明のインクジェット記録装置は、請求項１乃至４の何れかに記載の発明の構成に加え、前記ブレード支持板の前記ワイパブレードに当接する面と反対側の面には、当該ブレード支持板より上下方向が長い板から成るインク受け板が当該ブレード支持板と平行に固定され、当該インク受け板と前記ワイパブレードとの間にインクを受ける溝部が形成されていることを特徴とする。
【発明の効果】
【００１１】
請求項１に係る発明のインクジェット記録装置では、ワイパブレードの移動経路の下流側の終端部に備えられた吸収部材に当接する前記ワイパブレードの当接面には、当該当接面と反対側の面である裏面側から当該当接面側にインクを通過するインク通過部が形成されているので、１つの吸収部材でワイパブレードの吸収部材への当接面に付着したインクと、ワイパブレードの裏面側に貯まったインクを吸収することができる。従って、ワイパブレードの裏面側にインクが貯まって、ワイパブレードの拭き取り性能の劣化を招くことがない。
【００１２】
また、請求項２に係る発明のインクジェット記録装置では、請求項１に係る発明の効果に加え、ワイパブレードの当接面と反対側の面のワイパブレードの基部に設けられたブレード支持板の上端部の凹部に、前記ワイパブレードの反対側の面に付着したインクが集まり、当該凹部の最下部に対向するインク通過部を介して、吸収部材によりインクが吸収される。従って、前記ワイパブレードの反対側の面に付着したインクを効率よく凹部の最下部に対向するインク通過部を介して吸収部材に排出できる。
【００１３】
また、請求項３に係る発明のインクジェット記録装置では、請求項１又は２に係る発明の効果に加え、インクジェット記録ヘッドは複数列設され、インク通過部は、複数配列された各インクジェット記録ヘッドに対応して、ワイパブレードに各々形成されている。従って、各インクジェット記録ヘッドに付着したインクを拭き取ったワイパブレードの反対側の面に付着したインクが各インク通過部を通過して、吸収部材に効率よくインクが吸収される。
【００１４】
また、請求項４に係る発明のインクジェット記録装置では、請求項１乃至３の何れかに係る発明の効果に加え、ワイパブレードが吸収部材に当接した場合に、当該吸収部材の一部が前記開口部内に入り込んでインクを吸収するので、インク通過部の内面のインクも除去できる。
【００１５】
また、請求項５に係る発明のインクジェット記録装置では、請求項１乃至４の何れかに係る発明の効果に加え、ブレード支持板の前記ワイパブレードに当接する面と反対側の面には、ブレード支持板より上下方向が長い板から成るインク受け板がブレード支持板と平行に固定され、インク受け板とワイパブレードとの間にインクを受ける溝部が形成されているので、この溝部にワイパブレードの裏面側に付着したインクが貯まる。このインクがインク通過部を介して吸収部材に吸収される。従って、ワイパブレードの裏面側に付着したインクが大量に降下しても溝部に集められてインク通過部を介して吸収部材に吸収される。従って、ワイパブレードの裏面側にインクが貯まって、ワイパブレードの拭き取り性能の劣化を招くことがない。
【発明を実施するための最良の形態】
【００１６】
以下、本発明を具体化したインクジェット記録装置の一実施の形態について、図面を参照して説明する。まず、図１を参照して、インクジェット記録装置の一例であるインクジェットプリンタ１の全体の構成について説明する。図１は、インクジェットプリンタ１の斜視図である。本実施の形態では、インクジェットプリンタ１は、入力された画像情報等に基づいてＴシャツ等の布帛への印刷を行うための業務用インクジェットプリンタである。
【００１７】
図１に示すように、インクジェットプリンタ１は、略直方体形状の筐体フレーム２を有している。この筐体フレーム２は、角柱状に成形されたアルミフレームから成る前フレーム２Ａ、後フレーム２Ｂ、左フレーム２Ｃ及び右フレーム２Ｄから構成され、平面視略ロ字状に形成されている。以下、「筐体フレーム２の左フレーム２Ｃ及び右フレーム２Ｄと平行な方向を筐体フレーム２の前後方向」と言い、「筐体フレーム２の前フレーム２Ａ及び後フレーム２Ｂと平行な方向を筐体フレーム２の左右方向」と言う。
【００１８】
次に、インクジェットプリンタ１のプラテン駆動機構６について説明する。プラテン駆動機構６は、後述するプラテン５を筐体フレーム２の前後方向に往復移動可能とするものである。詳細には、筐体フレーム２の前フレーム２Ａと後フレーム２Ｂとの各中央部に筐体フレーム２の前後方向と平行に二本のレール３Ａ，３Ｂが架設されており、この二本のレール３Ａ，３Ｂは、筐体フレーム２の垂直方向に立ち上げられた図示外の基部上にそれぞれ支持されており、その上部に、レール３Ａ，３Ｂに沿って筐体フレーム２の前後方向に移動可能な平板状のプラテン支持台（図示外）が設けられている。そして、プラテン支持台の略中央に垂直に立ち上げられた支柱の上端には、取り換え可能なプラテン５が固定されている。
【００１９】
このプラテン５は、平面視、筐体フレーム２の前後方向を長手方向とする略長方形状の板体であり、その上面に、例えばＴシャツなどの布帛からなる被記録媒体を水平に載置するためのものである。プラテン５の上面には、印刷面を緊張状態にして載置されるＴシャツ等の載置位置が印刷中にずれたりしないようにするため、滑り止め部材（図示外）が設けられている。また、プラテン５とプラテン支持台との間の略中間の位置にて支柱に固定されたトレー４は、プラテン５の上面と略平行な底面を有し、平面視、その外周がプラテン５より一回り大きめに構成されたトレーである。このトレー４は、利用者がＴシャツ等をプラテン５に載置する際に、シャツの袖等を受け筐体フレーム２の底面には落ちないように保護するためのものである。
【００２０】
また、プラテン支持台を移動させるためにレール３Ａ，３Ｂが設けられたプラテン駆動機構６の後端部にはプラテン駆動モータ７が設けられ、このプラテン駆動モータ７の駆動によって、プラテン支持台がレール３Ａ，３Ｂに沿って筐体フレーム２の前後方向に移動する。すなわち、プラテン駆動モータ７の駆動軸と、レール３Ａ，３Ｂの前端部（筐体フレーム２の前面側にあたるレール３Ａ，３Ｂの端部）付近に設けられたプーリーとの間に駆動ベルトが架け渡されており、その駆動ベルトに固定されたプラテン支持台が、プラテン駆動モータ７の駆動によってレール３Ａ，３Ｂに沿って筐体フレーム２の前後方向に往復移動されるようになっている。なお、レール３Ａ，３Ｂの前端部が、印刷開始前のプラテン５の待機位置（デフォルト位置）である。
【００２１】
なお、図示しないが、レール３Ａ，３Ｂの前端部近傍には、印刷実行時に筐体フレーム２の背面から前面方向へ移動されるプラテン５が移動方向の終点にあることを検出するためのフォトセンサが設けられている。また、レール３Ａ，３Ｂの後端部近傍には、プラテン５が、印刷実行時における移動方向の始点にあることを検出するためのフォトセンサと、読み取り時における始点にあることを検出するためのフォトセンサとが設けられている。これらのフォトセンサは発光部と受光部とを備え、発光部から出射された光を受光部で受光したか否かに基づき被検出体の検出をおこなう。そして、プラテン支持台の下面には、これらのフォトセンサの発光部と受光部との間を遮ってフォトセンサによるプラテン５の位置の検出を行うための遮蔽板が突設されている。プラテン駆動モータ７はステッピングモータであり、これらフォトセンサの発光部と受光部との間に、図示しない遮蔽板が位置することによって検出されるプラテン５の始点や終点の位置を基準とし、プラテン駆動モータ７の駆動制御に基づくプラテン５の位置検出が行われるように構成されている。これにより、印刷開始時には、レール３Ａ，３Ｂの前端部がデフォルト位置に待機するプラテン５は、レール３Ａ，３Ｂの後端部まで搬送される。その後の印刷実行時には、このレール３Ａ，３Ｂの後端部を始点としてレール３Ａ，３Ｂの前端部へ向けて移動制御される。
【００２２】
また、筐体フレーム２の後フレーム２Ｂ側のプラテン５のプラテン駆動機構６の上方には、後フレーム２Ｂと平行にインクジェット記録ヘッド２１を搭載したキャリッジ２２の移動を案内するためのガイドレール９が架設されている。このガイドレール９の左端部近傍にキャリッジモータ２４が設けられ、ガイドレール９の右端部近傍にはプーリー２５設けられている。このキャリッジモータ２４とプーリー２５との間には、ガイドレール９よりも下方の位置にて筐体フレーム２の左右方向に渡ってキャリッジベルト２６が架設されている。このキャリッジベルト２６はキャリッジ２２の背面に固定されており、キャリッジモータ２４の駆動によって、同じく背面に設けられた摺動部（図示外）が摺動するガイドレール９に沿って、キャリッジ２２が筐体フレーム２の左右方向に往復移動される。尚、このキャリッジモータ２４はＤＣモータであり、ガイドレール９に設けられたリニアエンコーダ（図示外）からの出力に基づき、キャリッジ２２の位置検出が行われる。
【００２３】
また、ガイドレール９よりも前方の位置にて筐体フレーム２の左右にわたってクリアランスセンサ機構８が設けられている。クリアランスセンサ機構８は、印刷開始時にプラテン５がレール３Ａ，３Ｂに沿ってレール３Ａ，３Ｂの前端部から後端部へ移動する際に、プラテン５に載置された被記録媒体の皺やゴミなどの障害物を検出する。
【００２４】
キャリッジ２２は、その底面に圧電式の４つのインクジェット記録ヘッド２１を搭載している。４つのインクジェット記録ヘッド２１は、例えばシアン、マゼンタ、イエロー、ブラックの４色のカラーインクのそれぞれに対応して設けられており、各インクを噴射するための、例えば１２８個のチャンネル（図示外）をそれぞれ備えている。そして、各チャンネルには、各々個別に駆動される圧電アクチュエータ（図示外）が設けられており、各チャンネルに対応してインクジェット記録ヘッド２１の底面に孔設された微細な噴射ノズル（図示外）から下向きに、インクの液滴が噴射されるように制御される。
【００２５】
インクジェットプリンタ１の左側面には、各インクを収容したインクカートリッジを着脱可能に収容するためのインクカートリッジ収容部３０がそれぞれ設けられている。そして、各インクカートリッジ収容部３０と、各インクジェット記録ヘッド２１とはインク供給用チューブ１０によってそれぞれ連結され、各インクカートリッジ収容部３０に収容されたインクは、各々連結された各インク供給用チューブ１０によって、各チャンネルにインクが供給されるようになっている。図１では、ＣＭＹＫ方式（シアン，マゼンタ，イエロー，ブラック）による４種類のインクのインクカートリッジ収容部３０が設けられ、各々のインクカートリッジ収容部３０のインク供給口にインク供給用チューブ１０が装着されている。インク供給用チューブ１０は、ポリエチレン等からなる可撓性のチューブであり、インクジェットプリンタ１において、キャリッジ２２の移動等に対応して屈曲や捩れが生じるような柔軟性を有する。
【００２６】
図１に示す４本のインク供給用チューブ１０Ａ〜１０Ｄは、各インクカートリッジ収容部３０からガイド部材４０及びチューブ支持部材６０を経由して、各色のインクジェット記録ヘッド２１に接続されている。ガイド部材４０は、筐体フレーム２の左右方向の略中央であって、プラテン５の上方の位置に設けられ、キャリッジ２２の背後において４本のインク供給用チューブ１０を支持するものである。また、チューブ支持部材６０は、キャリッジ２２の上端に設けられて４本のインク供給用チューブ１０Ａ〜１０Ｄを支持するものである。そして、このチューブ支持部材６０を経由して、各インク供給用チューブ１０Ａ〜１０Ｄはチューブ支持部材６０の手前直下に存在する各色のインクジェット記録ヘッド２１に装着されて、インクジェット記録ヘッド２１内にインクが供給される。
【００２７】
また、キャリッジ２２がガイドレール９の右端に移動した位置には、各インクジェット記録ヘッド２１のノズル面に対して密着・離脱が可能な吸引キャップ２３（図２参照）を有するパージユニット２０が設けられている。パージユニット２０には吸引ポンプ（図示外）が設けられており、各吸引キャップ２３がインクジェット記録ヘッド２１に密着しているときに、吸引キャップ２３を介してインクの吸引を行うことが可能となっている。また、印刷が行われないときには吸引キャップ２３でインクジェット記録ヘッド２１のノズル面が覆われ、インクの乾燥が防止されている。
【００２８】
また、筐体フレーム２の右側手前の位置には、インクジェットプリンタ１の操作を行うための操作パネル２８が設けられている。そして、筐体フレーム２の内部には、インクジェットプリンタ１の制御を行うＣＰＵ（図示外）等を備えた制御部（図示外）が設けられている。
【００２９】
次に、図２〜図５を参照して、噴射回復機構であるパージユニット２０について説明する。図２はパージユニット２０の斜視図であり、図３は、図２におけるＡ−Ａ’線に於ける矢視方向断面図であり、図４及び図５は、図３のカセット保持体２２０近傍の拡大断面図である。
【００３０】
図２乃至図５に示すように、パージユニット２０の筐体フレームは、所定間隔を開けて平行に設けた金属板から構成されたパージユニットフレーム２０１，２０９と、パージユニットフレーム２０１，２０９の前端側（図２に於ける左斜め下側）上部に設けられたガイド軸保持板２０２Ａと、パージユニットフレーム２０１，２０９の後端側（図２に於け右斜め上側）上部に設けられたガイド軸保持板２０２Ｂとから構成されている。そして、ガイド軸保持板２０２Ａ，２０２Ｂには、一対のワイパブレード走行ガイド軸２０３，２０４が架設固定されている。
【００３１】
ガイド軸保持板２０２Ａ，２０２Ｂ間のワイパブレード走行ガイド軸２０３，２０４は、摺動部材２０５Ａ，２０５Ｂを貫通しており、摺動部材２０５Ａ，２０５Ｂは、各々金属の板から構成され平面視略長方形のワイパブレード移動基板２０５に図示外のねじにより固定されている。従って、ワイパブレード移動基板２０５は、ワイパブレード走行ガイド軸２０３，２０４に対して、摺動可能となっている。また、ワイパブレード移動基板２０５の中央部には、長手方向をワイパブレード走行ガイド軸２０３，２０４と平行に穿設された略長方形の開口部が形成され、その一方の長辺には、ラックギア２０５Ｇが形成されている。
【００３２】
さらに、ワイパブレード移動基板２０５の前端側には、一対の支持アーム２０５Ｃ，２０５Ｄが延設されている。ワイパブレード移動基板２０５の上側には、金属板をプレス成形したワイパブレード上下基板２０６が設けられ、ワイパブレード上下基板２０６の前端部（図２に於ける左斜め下側）には、ワイパブレード２０７を保持する一対のワイパブレードアーム２０６Ｃ，２０６Ｄが延設されている。また、図９に示すように、ワイパブレードアーム２０６Ｃ，２０６Ｄの先端部間には、ワイパブレード保持板２０７Ｃが設けられ、当該ワイパブレード保持板２０７Ｃにワイパブレード２０７の基部２０７Ｂ側が固定され、ワイパブレード２０７の先端部２０７Ａは、自由端となっている。そして、当該ワイパブレードアーム２０６Ｃ，２０６Ｄの略中間部が、支持アーム２０５Ｃ，２０５Ｄの先端部に軸部２０５Ｅ，２０５Ｆにより各々軸支されている。また、ワイパブレード上下基板２０６の後端部（図２に於ける右斜め上側）には、カムフォロア軸２０６Ｅを軸支する、カムフォロア軸保持板２０６Ａ，２０６Ｂがワイパブレード上下基板２０６の基板面と直交し、且つ、ワイパブレード走行ガイド軸２０３，２０４と平行に立設されている。また、パージユニット２０の後端部側（図２に示す右上端部側）のワイパブレード走行ガイド軸２０３近傍には、カム溝２０８Ａが形成されたカム板２０８がワイパブレード走行ガイド軸２０３と平行に固定されており、カムフォロア軸２０６Ｅの一端部がカム板２０８のカム溝２０８Ａに係合している。
【００３３】
また、図３に示すように、ワイパブレード移動基板２０５の下部には、ラックギア２０５Ｇに噛合するピニオンギア２７１が固定されたワイパ駆動モータ２７０が設けられている。従って、ワイパ駆動モータ２７０駆動によりワイパブレード移動基板２０５がパージユニットの２０の前後方向（図２に示すワイパブレード走行ガイド軸２０３，２０４の長手方向と同方向）に移動可能となっている。そして、ワイパブレード移動基板２０５がパージユニットの２０の前方向に移動すると、ワイパブレード移動基板２０５の支持アーム２０５Ｃ，２０５Ｄによりワイパブレード上下基板２０６のワイパブレードアーム２０６Ｃ，２０６Ｄが軸支されているので、ワイパブレードアーム２０６Ｃ，２０６Ｄが延設されているワイパブレード上下基板２０６がパージユニットの２０の前方向に移動する。このときに、カムフォロア軸２０６Ｅの一端部は、カム板２０８カム溝２０８Ａに設けられた下側の溝を摺動する。従って、ワイパブレード移動基板２０５の支持アーム２０５Ｃ，２０５Ｄによりワイパブレード上下基板２０６のワイパブレードアーム２０６Ｃ，２０６Ｄが軸支されているので、ワイパブレードアーム２０６Ｃ，２０６Ｄの先端部が持ち上がる。ワイパブレード２０７が前進（下流方向へ移動）するときは、図３及び図４に示すように上がった状態でクリーニング用カセット２３０方向へ前進することになる。従って、図４に示すようにインクジェット記録ヘッド２１のノズル面２６０をワイパブレード２０７の先端部が摺動して、ノズル面２６０に付着したインクを拭い取り、その後、図５に示すように、後述するクリーニング用カセット２３０の第１吸収部材２３１にワイパブレード２０７が当接して、ワイパブレード２０７のインクが第１吸収部材２３１に吸収される。
【００３４】
また、ワイパブレード移動基板２０５がパージユニットの２０の後方向に移動すると、ワイパブレードアーム２０６Ｃ，２０６Ｄが延設されているワイパブレード上下基板２０６がパージユニットの２０の後方向（上流方向）に移動する。このときに、カムフォロア軸２０６Ｅの一端部は、カム板２０８カム溝２０８Ａに設けられた上側の溝を摺動する。従って、ワイパブレードアーム２０６Ｃ，２０６Ｄの先端部が下がり、ワイパブレード２０７が下がった状態で後退することになる。
【００３５】
次に、図２を参照して、インクジェット記録ヘッド２１と吸引キャップ２３について説明する。図２に示すように、インクジェット記録ヘッド２１は、キャリッジ２２に保持されており、シアン，マゼンタ，イエロー，ブラックに対応して、各色のインクジェット記録ヘッド２１Ａ〜２１Ｄが設けられている。そして、キャリッジ２２には、各色のインクジェット記録ヘッド２１Ａ〜２１Ｄを各々駆動する駆動回路基板２７が４個設けられている。また、パージユニット２０には、キャリッジ２２が噴射回復位置に移動したときに、各色のインクジェット記録ヘッド２１Ａ〜２１Ｄに各々対向する位置に、吸引キャップ２３Ａ〜２３Ｄが設けられている。この吸引キャップ２３Ａ〜２３Ｄは、パージユニットフレーム２０１，２０９と平行かつワイパブレード走行ガイド軸２０３，２０４と各々直交する方向に延設された一対の金属板を有し、さらに、パージユニット２０の前部方向から見た場合に、９０度回転した略コ字型に形成された吸引キャップ上下ガイド板２１０により保持されている。
【００３６】
また、図３に示すように、吸引キャップ上下ガイド板２１０の側面には、吸引キャップ２３の移動方向と同方向に長手方向を形成された長孔２１０Ａ，２１０Ｂが各々形成され、長孔２１０Ａ，２１０Ｂには、パージユニットフレーム２０１に凸設されたガイド軸２０１Ａ，２０１Ｂが摺動可能に各々係合している。また、パージユニットフレーム２０９には吸引キャップ駆動モータ２４０が設けられ、吸引キャップ駆動モータ２４０の軸には、ギア２４１が設けられている。また、パージユニットフレーム２０９には、軸２４４に軸支された大ギア２４２が設けられ、当該大ギア２４２はギア２４１に噛合している。さらに、大ギア２４２には、円形の偏心溝カム２４３が固着され、軸２４４を軸心として、大ギア２４２の回転に同期して回転するようになっている。偏心溝カム２４３の側面には、円形のカム溝２４３Ａが形成され、当該カム溝２４３Ａには、カムフォロア２４５が摺動し、カムフォロア２４５が設けられたアーム２４６は、軸２４７により軸支され、アーム２４６の他端部は、軸２４８により、吸引キャップ上下ガイド板２１０の側面の長孔２１０Ａと長孔２１０Ｂとの間に接続されている。
【００３７】
従って、吸引キャップ駆動モータ２４０の駆動により偏心溝カム２４３が回転されて、吸引キャップ上下ガイド板２１０がアーム２４６により上下されて、吸引キャップ２３が、インクジェット記録ヘッド２１のノズル面２６０に接離可能となっている。
【００３８】
次に、図４、図５、図６、図７、図８及び図９を参照して、ワイパ保守手段に相当するクリーニング用カセット２３０とカセット保持体２２０の構造について説明する。図６は、カセット保持体２２０の斜視図であり、図７は、カセット保持体２２０を開いた状態を示す斜視図であり、図８はクリーニング用カセット２３０を保持したカセット保持体２２０の斜視図であり、図９は、クリーニング用カセット２３０の縦断面図である。
【００３９】
図４、図５、図７及び図８に示すように、クリーニング用カセット２３０は、直方体の箱の一面が開放され、上壁２３０Ａ，底壁２３０Ｂ、側壁２３０Ｃ，２３０Ｄ、前壁２３０Ｅから構成され、上壁２３０Ａが開放口の上部が軒状に延設されている。そして、図４及び図５に示すように、クリーニング用カセット２３０内には、前壁２３０Ｅ側に第１の吸収部材２３１が接着され、上壁２３０Ａ側に第２の吸収部材２３２が接着され、底壁２３０Ｂ側に第３の吸収部材２３３が接着されている。また、図７に示すように、クリーニング用カセット２３０の上壁２３０Ａには、一対の係合孔２３０Ｆ、２３０Ｆが穿設されており、この係合孔２３０Ｆ、２３０Ｆには、後述するクリーニング用カセット２３０の上部筐体２２２に設けられた係合爪２２２Ａ，２２２Ａが係合するようになっている。
【００４０】
次に、図６乃至図８を参照して、カセット保持体２２０の構造を説明する。カセット保持体２２０は、合成樹脂から成形された上部筐体２２２及び下部筐体２２１から構成され、上部筐体２２２は、下部筐体２２１の軸受部２２１Ｇに回動可能に軸２２２Ｃにより軸支され、９０度上方（図７の矢印Ｂ方向）へ回転可能である。また、下部筐体２２１には、底壁２２１Ａが設けられ、その底壁２２１Ａの両端部には、側壁２２１Ｃ，２２１Ｄが各々立設されている。また、側壁２２１Ｃと側壁２２１Ｄとの間には、クリーニング用カセット２３０の底壁２３０Ｂを支える支持壁２２５Ａ〜２２５Ｄが側壁２２１Ｃ及び側壁２２１Ｄと平行に立設されている。
【００４１】
さらに、側壁２２１Ｃ及び側壁２２１Ｄには、係合孔２２１Ｅ，２２１Ｆが各々設けられ、係合孔２２１Ｅには、上部筐体２２２の側壁に設けられた係合突起２２２Ｃが係合し、係合孔２２１Ｆにも、上部筐体２２２の側壁に設けられた図示外の係合突起が係合して、上部筐体２２２が下部筐体２２１に固定されるようになっている。また、上部筐体２２２には、ワイパブレード走行ガイド軸２０３，２０４の先端部に嵌合固定されるガイド軸嵌合部２２３，２２４が設けられている。このガイド軸嵌合部２２４は略円筒状に形成され、その円筒面の一部が可撓部２２３Ａとして切れめが入れられており、その内面には、図２に示すワイパブレード走行ガイド軸２０４の先端に設けられた溝部２０４Ａに係合する係合突起（図示外）が設けられている。また、ガイド軸嵌合部２２３も同様の構造になっており、ワイパブレード走行ガイド軸２０３の先端に設けられた溝部２０３Ａに係合するようになっている。従って、可撓部を持ち上げることにより、ワイパブレード走行ガイド軸２０３，２０４からカセット保持体２２０が着脱できるようになっている。
【００４２】
次に、カセット保持体２２０のクリーニング用カセット２３０の保持機構について図７及び図８を参照して説明する。カセット保持体２２０の上部筐体２２２の先端部には、一対の係合爪２２２Ａ，２２２Ａが設けられ、クリーニング用カセット２３０の上壁２３０Ａに設けられた一対の係合孔２３０Ｆ，２３０Ｆに係合するようになっている。従って、クリーニング用カセット２３０は、図８に示すように、カセット保持体２２０の係合爪２２２Ａ，２２２Ａと支持壁２２５Ａ〜２２５Ｄとにより保持される。そして、クリーニング用カセット２３０の交換時には、まず、図８に示すように、カセット保持体２２０をワイパブレード走行ガイド軸２０３，２０４から取り外し、図７に示すように、上部筐体２２２を９０度上方（矢印Ｂ方向）へ回動する。次いで、クリーニング用カセット２３０を取り外して、新しい物と交換する。その後、図８に示す矢印Ｃ方向に上部筐体２２２を回動して上部筐体２２２を下部筐体に２２１に嵌合する。従って、クリーニング用カセット２３０を容易に交換することができ、また、クリーニング用カセット２３０の内部に、第１の吸収部材２３１、第２の吸収部材２３２及び第３の吸収部材２３３が設けられているので、作業者がクリーニング用カセット２３０の交換時に手を汚すことがない。
【００４３】
尚、カセット保持体２２０の上部筐体２２２に一対の係合孔を設け、クリーニング用カセット２３０上壁２３０Ａに一対の係合爪を設けて、互いに係合するようにしてもよい。
【００４４】
さらに、図３乃至図５に示すように、カセット保持体２２０の下部筐体２２１の底壁２２１Ａが、ワイパブレード２０７の移動範囲を覆うように、ワイパブレード２０７の移動範囲の下部、且つ、吸引キャップ２３の下部に延設され、その端部２２１Ｂは、ワイパブレード２０７の始動位置の下部よりも奥まで延設されている。従って、カセット保持体２２０の下部筐体２２１の底壁２２１Ａがインク受部として機能し、ワイパブレード２０７やインクジェット記録ヘッド２１から落下するインクを受け止めることができ、インクによるパージユニット２０の汚れを防止できる。
【００４５】
次に、図９を参照して、第１の吸収部材２３１、第２の吸収部材２３２、第３の吸収部材２３３の形状と配置について詳細に説明する。クリーニング用カセット２３０内のワイパブレード２０７の移動経路の下流側の終端部には、前壁２３０Ｅに、スポンジ状に形成されワイパブレード２０７に付着したインクを吸収する第１の吸収部材２３１が固着されている。この第１の吸収部材２３１の上部には、空間が形成されており、ワイパブレード２０７が第１の吸収部材２３１に面接触したときに、ワイパブレード２０７の先端部２０７Ａが第１の吸収部材２３１に接触しないようになっている。このように、ワイパブレード２０７が第１の吸収部材２３１に面接触したときに、ワイパブレード２０７の先端部２０７Ａが接触しないようにすると、ワイパブレード２０７が第１の吸収部材２３１から離れる場合に、ワイパブレード２０７の先端部２０７Ａに気泡が付着することを防止できる。従って、次に、インクジェット記録ヘッド２１のノズル面２６０のインクを拭ったときに、当該ノズル面２６０に気泡を付着させることがなく、インクジェット記録ヘッド２１のノズル面２６０からのインクの噴射の障害を防止できる。
【００４６】
また、クリーニング用カセット２３０内の上壁２３０Ａの下面、即ち、図４に示すように、インクジェット記録ヘッド２１のノズル面２６０よりもワイパブレード２０７の移動経路の下流側、且つ、ノズル面２６０に連続する隣接位置であって、ワイパブレード２０７の先端部２０７Ａが接触する位置に、スポンジ状に形成されインクを吸収する第２の吸収部材２３２が固着されている。この第２の吸収部材２３２は、ノズル面２６０に連続する隣接位置に設けられているので、ワイパブレード２０７の先端部２０７Ａがノズル面２６０から外れる瞬間の排除インクのはねを吸収することができる。また、ワイパブレード２０７の先端部２０７Ａに付着したインクも吸収することができる。また、ワイパブレード２０７が第１の吸収部材２３１に当接した位置では、ワイパブレード２０７の先端部２０７Ａが第２の吸収部材２３２に当接しないように構成されている。従って、ワイパブレード２０７の先端部２０７Ａに第２の吸収部材２３２から気泡が付着することを防止できる。
【００４７】
また、図９に示すように、第２の吸収部材２３２と対向し、且つ、ワイパブレード２０７の移動経路を挟んで、第２の吸収部材２３２の下方には、スポンジ状に形成されインクを吸収する第３の吸収部材２３３がクリーニング用カセット２３０内の底壁２３０Ｂに固着されている。この第３の吸収部材２３３は、第１の吸収部材２３１に隣接して配置され、ワイパブレード２０７から落下するインクを吸収すると共に、第１の吸収部材２３１からもインクを吸収することができる。
【００４８】
次に、図９、図１０、図１１及び図１２を参照して、本発明の第１の実施の形態であるワイパブレード２０７及びワイパブレード保持板２０７Ｃの構造の詳細を説明する。図１０は、第１の実施の形態のワイパブレード２０７近傍の分解斜視図である。図１１は、第１の実施の形態のワイパブレード２０７及びワイパブレード保持板２０７Ｃの裏面側（図９に示す断面図の右側方向）から見た斜視図であり、図１２は、第１の実施の形態のワイパブレード２０７が第１の吸収部材２３１に当接した状態を示すクリーニング用カセット２３０の断面図である。以下の説明では、第１の吸収部材２３１に対向するワイパブレード２０７の面を「前面」、その反対側の面を「裏面」という。
【００４９】
図１０及び図１１に示すように、ワイパブレード２０７を保持するワイパブレード保持板２０７Ｃの上端部には、その長手方向に沿って４箇所の凹部２０７Ｄ，２０７Ｅ，２０７Ｆ，２０７Ｇが設けられている。この凹部２０７Ｄ〜２０７Ｇは、各々、Ｖ字谷状に形成されている。また、Ｖ字谷を構成する２つの斜面は、ワイパブレード２０７側にも傾斜を有している。さらに、各凹部２０７Ｄ〜２０７Ｇの最下部（Ｖ字谷を構成する２つの斜面の交点）に対向するワイパブレード２０７の各部分に、インク通過部としての開口部である略円形の貫通孔２１１Ａ，２１１Ｂ，２１１Ｃ，２１１Ｄが、各々、穿設されている。尚、各凹部２０７Ｄ〜２０７Ｇの最下部に設けられる貫通孔は、各々１つだけでなく、２つ、３つ等の複数設けても良い。また、ワイパブレード保持板２０７Ｃの長手方向の左右両端部には、図１１に示すように、ねじ孔２０７ｐ、２０７ｑが穿設されている。さらに、図１０に示すように、ワイパブレード保持板２０７Ｃの長手方向の左右両端は、ブラケット２１４Ａ，２１４Ｂにねじ２１５Ａ，２１５Ｂにより固定され、これらブラケット２１４Ａ，２１４Ｂが、各々ワイパブレードアーム２０６Ｃ，２０６Ｄに固定される。
【００５０】
尚、貫通孔２１１Ａ〜２１１Ｄ及び凹部２０７Ｄ〜２０７Ｇは、各々、図１０に示すインクジェット記録ヘッド２１Ａ〜２１Ｄに対向する位置に設けられている。具体的には、インクジェット記録ヘッド２１Ａに対向して凹部２０７Ｄ及び貫通孔２１１Ａが設けられ、インクジェット記録ヘッド２１Ｂに対向して凹部２０７Ｅ及び貫通孔２１１Ｂが設けられ、インクジェット記録ヘッド２１Ｃに対向して凹部２０７Ｆ及び貫通孔２１１Ｃが設けられ、インクジェット記録ヘッド２１Ｄに対向して凹部２０７Ｇ及び貫通孔２１１Ｄが設けられている。
【００５１】
従って、各インクジェット記録ヘッド２１Ａ〜２１Ｄを拭き取った場合に、各インクジェット記録ヘッド２１Ａ〜２１Ｄに対向するワイパブレード２０７の裏面に付着した廃インクは、重力に従って下方に移動するが、ワイパブレード保持板２０７Ｃの凹部２０７Ｄ〜２０７Ｇに受け止められる。そして、各凹部２０７Ｄ〜２０７Ｇの傾斜に沿って、各凹部２０７Ｄ〜２０７Ｇの最下部に移動し、当該最下部に対向した貫通孔２１１Ａ〜２１１Ｄ内に表面張力により貯まる。そして、図１２に示すように、ワイパブレード２０７の前面が第１の吸収部材２３１に当接したときに、当該第１の吸収部材２３１が押圧されるが、貫通孔２１１Ａ〜２１１Ｄに対向した位置の第１の吸収部材２３１の部分が貫通孔２１１Ａ〜２１１Ｄに入り込んで、廃インクを吸収することができる。従って、ワイパブレード２０７の裏面に付着した廃インクも第１の吸収部材２３１により除去することが可能となる。また、ワイパブレード保持板２０７Ｃの凹部２０７Ｄ〜２０７ＧのＶ字谷を構成する２つの斜面は、各々ワイパブレード２０７側にも傾斜を有しているので、廃インクがワイパブレード２０７側に集まり、ワイパブレード保持板２０７Ｃの凹部２０７Ｄ〜２０７Ｇから垂れることを防止できる。
【００５２】
以上説明したように、第１の実施の形態のワイパブレード２０７及びワイパブレード保持板２０７Ｃでは、ワイパブレード２０７の裏面に別途インク吸収部材を設ける必要がなく、ワイパブレード２０７の裏面付着した廃インクを除去し、当該裏面への廃インクの堆積を防止し、ワイパブレード２０７の拭き取り性能の悪化を防止できる。
【００５３】
次に、ワイパブレード及びワイパブレード保持板の第２の実施の形態であるワイパブレード３０７及びワイパブレード保持板３０７Ｃについて、図１３及び図１４を参照して説明する。図１３は、第２の実施の形態のワイパブレード３０７近傍の分解斜視図であり、図１４は、第２の実施の形態のワイパブレード３０７が第１の吸収部材２３１に当接した状態を示すクリーニング用カセット２３０の断面図である。以下の説明では、第１の吸収部材２３１に対向するワイパブレード３０７の面を「前面」、その反対側の面を「裏面」という。
【００５４】
図１３に示すように、ワイパブレードアーム３０６Ｃ，３０６Ｄの先端部には、各々、ワイパブレード保持板３０７Ｃをねじ３０８Ａ，３０８Ｂにより、ねじ止めするためのブラケット３０６Ｇ，３０６Ｈが固定されるブラケット固定部３０６Ｅ，３０６Ｆが設けられている。従って、ブラケット固定部３０６Ｅ，３０６Ｆに各々ブラケット３０６Ｇ，３０６Ｈが、図１４に示す、ねじ３０９Ａ及び図示外のネジにより固定される。そして、ブラケット３０６Ｇ，３０６Ｈにワイパブレード保持板３０７Ｃがねじ３０８Ａ，３０８Ｂを用いて固定される。
【００５５】
図１３及び図１４に示すように、ワイパブレード保持板３０７Ｃは、インク通過部としての開口部である略円形の貫通孔３１１が複数穿設されたパンチングメタル製であり、当該ワイパブレード保持板３０７Ｃの上部には、一例としてゴム製のワイパブレード３０７が、接着、又は加硫接着、又はねじ止め、又は一体成形等により固定されている。従って、ワイパブレード保持板３０７Ｃは、その下部に自身の長手方向に沿って貫通孔３１１が列設される。
【００５６】
尚、この第２の実施の形態でも、各インクジェット記録ヘッド２１Ａ〜２１Ｄを拭き取った場合に、ワイパブレード３０７の裏面（図１４に示すワイパブレード３０７の右側の面）に付着した廃インクは、重力に従ってワイパブレード保持板３０７Ｃの下部に移動し、貫通孔３１１内に表面張力により貯まる。そして、図１４に示すように、ワイパブレード３０７の前面が第１の吸収部材２３１に当接したときに、ワイパブレード３０７の前面が第１の吸収部材２３１に押圧される。このとき、貫通孔３１１に対向した位置の第１の吸収部材２３１の部分が貫通孔３１１内に入り込んで、インクを吸収することができる。従って、ワイパブレード３０７の裏面に付着したインクも第１の吸収部材２３１により除去することが可能となる。
【００５７】
以上説明したように、第２の実施の形態のワイパブレード２０３及びワイパブレード保持板３０７Ｃでも、ワイパブレード３０７の裏面に別途インク吸収部材を設ける必要がなく、ワイパブレード３０７の裏面付着した廃インクを除去し、当該裏面への廃インクの堆積を防止し、ワイパブレード３０７の拭き取り性能の悪化を防止できる。
【００５８】
次に、本発明の第３の実施の形態を図１５を参照して説明する。図１５は、第３の実施の形態のワイパブレード２０７が第１の吸収部材２３１に当接した状態を示すクリーニング用カセット２３０の断面図である。この第３の実施の形態では、図１５に示すように、ワイパブレード保持板２０７Ｃと平行に密着して、ワイパブレード保持板２０７Ｃの背後に（図１５に於ける右側）に、ワイパブレード保持板２０７ｃよりも高さがあり（上下方向で長い）、且つ、ワイパブレード２０７よりも高さが低く、平面視、略長方形のインク受板２１２をワイパブレード保持板２０７ｃと略同一の幅で設けている。従って、ワイパブレード２０７に付着した廃インクは、ワイパブレード２０７とインク受板２１２との間の溝部２１３に貯まり、貫通孔２１１を介して、第１の吸収部材２３１に吸収される。この第３の実施の形態では、インク受板２１２を設けたので、第１の実施の形態に比べてより多くの廃インクを溝部２１３に貯ることが可能で、貫通孔２１１を介して、第１の吸収部材２３１に除去することができる。
【００５９】
尚、上記の各実施の形態では、ワイパブレード保持板に設けられたインク通過部として略円形の貫通孔（開口部）を形成したが、インク通過部としては、略円形の貫通孔に限られず、ワイパブレード保持板の長手方向に穿設したスリットやメッシュ部材（金網）、インク透過性のある布等でも良い。また、インク通過部は、インクジェット記録ヘッド２１と同数設けなくても、谷部をワイパブレード保持板に１つ設けて、その最下部に１つ設けても良い。
【００６０】
尚、本発明は、上記実施の形態に限らずに、各種のインクジェット記録装置に適用できる。たとえば、上記実施の形態では、プラテンが平板で布帛を載置するタイプのインクジェットプリンタを用いて説明したが、紙に印刷する通常の形式のインクジェットプリンタに適応できることは言うまでもない。また、インクジェット記録ヘッドの数は、必ずしも４つに限られず、５つ、６つ、７つ等でも良い。
【産業上の利用可能性】
【００６１】
本発明のインクジェット記録装置は、各種のインクジェット方式の記録装置に適用できる。
【図面の簡単な説明】
【００６２】
【図１】第１の実施の形態のインクジェットプリンタ１の斜視図である。
【図２】パージユニット２０の斜視図である。
【図３】図２におけるＡ−Ａ’線に於ける矢視方向断面図である。
【図４】図３のカセット保持体２２０近傍の拡大断面図である。
【図５】図３のカセット保持体２２０近傍の拡大断面図である。
【図６】カセット保持体２２０の斜視図である。
【図７】カセット保持体２２０を開いた状態を示す斜視図である。
【図８】クリーニング用カセット２３０を保持したカセット保持体２２０の斜視図である。
【図９】第１の実施の形態のワイパブレード２０７が吸収部材２３１に当接した状態を示すクリーニング用カセット２３０の断面図である。
【図１０】第１の実施の形態のワイパブレード２０７近傍の分解斜視図である。
【図１１】第１の実施の形態のワイパブレード２０７及びワイパブレード保持板２０７Ｃの斜視図であり、
【図１２】第１の実施の形態のワイパブレード２０７が第１の吸収部材２３１に当接した状態を示すクリーニング用カセット２３０の断面図である。
【図１３】第２の実施の形態のワイパブレード３０７近傍の分解斜視図である。
【図１４】第２の実施の形態のワイパブレード３０７が第１の吸収部材２３１に当接した状態を示すクリーニング用カセット２３０の断面図である。
【図１５】第３の実施の形態のワイパブレード２０７が第１の吸収部材２３１に当接した状態を示すクリーニング用カセット２３０の断面図である。
【符号の説明】
【００６３】
１  インクジェットプリンタ
２  筐体フレーム
５  プラテン
２０  パージユニット
２１  インクジェット記録ヘッド
２２  キャリッジ
２３  吸引キャップ
２０１，２０９  パージユニットフレーム
２０２Ａ，２０２Ｂ  ガイド軸保持板
２０３，２０４  ワイパブレード走行ガイド軸
２０５  ワイパブレード移動基板
２０６  ワイパブレード上下基板
２０６Ｃ，２０６Ｄ  ワイパブレードアーム
２０７  ワイパブレード
２０７Ｃ  ワイパブレード保持板
２０７Ｄ，２０７Ｅ，２０７Ｆ，２０７Ｇ  凹部
２０７Ａ  先端部
２０８  カム板
２０８Ａ  カム溝
２１０  吸引キャップ上下ガイド板
２１１Ａ，２１１Ｂ，２１１Ｃ，２１１Ｄ  貫通孔
２１２  インク受板
２１３  溝部
２２０  カセット保持体
２２１  下部筐体
２２２  上部筐体
２２３，２２４  ガイド軸嵌合部
２３０  クリーニング用カセット
２３１  第１吸収部材
２３２  第２吸収部材
２３３  第３吸収部材
２６０  ノズル面
２７０  ワイパ駆動モータ
３０７  ワイパブレード
３０７Ｃ  ワイパブレード保持板
３１１  貫通孔
【図１】
2005288827.tif 000003
【図２】
2005288827.tif 000004
【図３】
2005288827.tif 000005
【図４】
2005288827.tif 000006
【図５】
2005288827.tif 000007
【図６】
2005288827.tif 000008
【図７】
2005288827.tif 000009
【図８】
2005288827.tif 000010
【図９】
2005288827.tif 000011
【図１０】
2005288827.tif 000012
【図１１】
2005288827.tif 000013
【図１２】
2005288827.tif 000014
【図１３】
2005288827.tif 000015
【図１４】
2005288827.tif 000016
【図１５】
2005288827.tif 000017